(57)【要約】【課題】無線端末が、ローミングを行うことになった場合、既に無線中継装置と通信できない位置に移動したとしても、接続中であった無線中継装置との切断処理を適切に行い、周辺の無線通信への影響を軽減する。【解決手段】複数の無線中継装置と少なくとも１つの無線端末を有する無線通信システムにおける無線中継装置であって、記憶部と、無線端末が他の無線中継装置に宛てた切断を要求する内容の通信を捕捉し、記憶部に格納させる監視部と、監視部が他の無線中継装置から無線端末に宛てた再送通信を検出すると、無線端末に代わって切断を要求する内容の通信を他の無線中継装置に宛てて代理送信を行う応答部とを備える。【選択図】図５
2017069793.tif 000002
【特許請求の範囲】
【請求項１】
複数の無線中継装置と、少なくとも１つの無線端末を有する無線通信システムにおける無線中継装置であって、
記憶部と、
無線端末が他の無線中継装置に宛てた切断を要求する内容の通信を捕捉し、前記記憶部に格納させる監視部と、
前記監視部が前記他の無線中継装置から前記無線端末に宛てた再送通信を検出すると、前記無線端末に代わって前記切断を要求する内容の通信を前記他の無線中継装置に宛てて代理送信を行う応答部
とを備える無線中継装置。
【請求項２】
前記他の無線中継装置に宛てての代理送信は、有線ＬＡＮを経由する請求項１記載の無線中継装置。
【請求項３】
複数の無線中継装置と、少なくとも１つの無線端末を有する無線通信システムにおける無線通信装置であって、
記憶部と、
無線端末が任意の無線中継装置に宛てた切断を要求する内容の通信を捕捉し、前記記憶部に格納させる監視部と、
前記監視部が前記無線中継装置から前記無線端末に宛てた再送通信を検出すると、前記無線端末に代わって前記切断を要求する内容の通信を前記無線中継装置に宛てて代理送信を行う応答部
とを備える無線通信装置。
【請求項４】
前記無線中継装置に宛てての代理送信は、有線ＬＡＮを経由する請求項３記載の無線通信装置。
【発明の詳細な説明】
【技術分野】
【０００１】
本発明は、無線ＬＡＮ通信システムにおける無線端末と無線中継装置および無線通信装置との通信装置に関する。
【背景技術】
【０００２】
近年、無線ＬＡＮの普及に伴い、無線端末（携帯端末、ＳＴＡなどとも呼ぶ）が無線ＬＡＮを利用する場合に、無線アクセスポイント（無線中継装置、無線基地局、ＡＰなどとも呼ぶ）を介して無線通信を行うインフラストラクチャー・モードは良く知られている。このモードでは、無線アクセスポイントが通信できる範囲にいるすべての無線端末と通信を行うことができ、無線アクセスポイントが備える有線インタフェースを用いて有線ネットワークと接続することによって、その先のネットワーク上にある無線端末とも通信（インターネット通信など）を行うことができる。
【０００３】
インフラストラクチャー・モードで無線通信を行う場合、１つの無線アクセスポイントでカバーできる範囲は限られている。そこで、広範囲に無線ネットワークを提供するために複数の無線アクセスポイントが適宜、設置される。このような状況下で無線端末は、ある無線アクセスポイントの通信可能エリアから他の無線アクセスポイントの通信可能エリア内へ移動すると、接続先の無線アクセスポイントを切り換える。このように無線端末が無線アクセスポイントを自動的に切り換える機能をローミングと呼ぶ。なお、アクセスポイントの切り換えをスムーズに行うため、各無線アクセスポイントは、それぞれの無線端末との通信可能エリアの一部が互いに重複するように設置される。
【０００４】
上記のように無線アクセスポイントの通信可能エリアが重複している領域において、無線端末は、適切なタイミングでローミングを実施し、通信状態が良好なアクセスポイントに接続先を切り換えることにより、常に良好な通信状態を維持できる。
【０００５】
このようにローミングを行う際には、無線端末は、接続中である無線アクセスポイントと通信を切断する手続を行い、ローミング先候補の無線アクセスポイントと接続の手続きを行う。これら手順は例えば、ＩＥＥＥ８０２．１１規格に準拠して行われる。
【先行技術文献】
【特許文献】
【０００６】
【特許文献１】特開２００６−３２４７３８号公報
【発明の概要】
【発明が解決しようとする課題】
【０００７】
ここで、無線端末は、ローミングして候補先の無線アクセスポイントと接続のための手順を進める前に、接続中の無線アクセスポイントに切断要求を行い、その無線アクセスポイントからの応答を受けて切断処理を完了しておくことが好ましい。
【０００８】
この切断処理をせずに（できずに）、無線端末がこれまで接続していた無線アクセスポイントと通信できる範囲の外に移動してしまうと、これまで接続していた無線アクセスポイントは、ローミングの際に必要な無線端末からの切断要求を受け取ることができず、切断処理が完了しない。
【０００９】
そして、この無線アクセスポイントは、通信途中であるデータの伝送、無線端末からの応答が無い（例えばＡＣＫ応答が無い）ために無線端末が正しくデータを受信できていないと判断する。そして、無線アクセスポイントは端末から応答が無いため、一定時間再送を繰り返すことになり、その間周辺の無線通信に影響を及ぼすという問題がある。
【００１０】
特許文献１には、アクセスポイントが内部に送信前の送信データパケットを蓄積し監視することで、送信前データの蓄積量が規定の大きさを超えてしまった場合には、送信データパケットの再送を停止し、周辺の無線通信への影響を軽減することが記載されている。
【００１１】
しかしながら特許文献１においても、送信前データの蓄積量が規定の大きさを越えるまでの間データの再送が繰り返されるために、その時間は周辺の無線通信に影響を及ぼすという課題は解消されない。
【００１２】
本発明は、上述の問題を鑑みてなされたものであり、無線端末が、ローミングを行うことになった場合、既に無線中継装置と通信できない位置に移動したとしても、接続中であった無線中継装置との切断処理を適切に行い、周辺の無線通信への影響を軽減することを目的とする。
【課題を解決するための手段】
【００１３】
上記課題を解決するために、本発明の一態様に係る無線中継装置は、複数の無線中継装置と、少なくとも１つの無線端末を有する無線通信システムにおける無線中継装置であって、記憶部と、無線端末が他の無線中継装置に宛てた切断を要求する内容の通信を捕捉し、記憶部に格納させる監視部と、監視部が他の無線中継装置から無線端末に宛てた再送通信を検出すると、無線端末に代わって切断を要求する内容を他の無線中継装置に宛てて代理送信を行う応答部とを備える。
【００１４】
好ましくは、他の無線中継装置に宛てての代理送信は、有線ＬＡＮを経由する。
【００１５】
本発明の一態様に係る無線通信装置は、複数の無線中継装置と、少なくとも１つの無線端末を有する無線通信システムにおける無線通信装置であって、記憶部と、無線端末が任意の無線中継装置に宛てた切断を要求する内容の通信を捕捉し、記憶部に格納させる監視部と、監視部が無線中継装置から無線端末に宛てた再送通信を検出すると、無線端末に代わって切断を要求する内容を無線中継装置に宛てて代理送信を行う応答部とを備える。
【００１６】
好ましくは、無線中継装置宛に宛てての代理送信は、有線ＬＡＮを経由する。
【発明の効果】
【００１７】
本発明の無線中継装置は、無線端末がローミングを行うことになった場合、既に無線中継装置と通信できない位置に移動したとしても、接続中であった無線中継装置との切断処理を適切に行うことができ、周辺の無線通信への影響を軽減することができる。
【図面の簡単な説明】
【００１８】
【図１】本発明の実施の形態にかかるシステム全体図である。
【図２】本発明の実施の形態にかかる無線端末Ｔ１、無線中継装置Ａ１、Ａ２、および通信端末（サーバ）Ｓ１のハードウェア構成図である。
【図３】本発明の実施の形態にかかる無線中継装置Ａ１、Ａ２の機能ブロック図である。
【図４】本発明の実施の形態にかかる無線端末Ｔ１が移動し無線中継装置Ａ２からローミング候補先の無線中継装置Ａ１にローミングを行う際のシステム全体図である。
【図５】本発明の実施の形態にかかる無線中継装置Ａ１がローミングを開始した無線端末Ｔ１と通信を開始してからローミング中の無線端末Ｔ１に代わって、切断要求フレームを無線中継装置Ａ２に送信するまでの動作フローである。
【発明を実施するための形態】
【００１９】
以下、実施の形態について、図面を参照しながら具体的に説明する。
【００２０】
以下の実施の形態で示される数値、構成要素、構成要素の配置位置などは、一例であり、発明の範囲内において種々の変形や変更が可能である。
【００２１】
（実施の形態）
図１は本発明の実施の形態１にかかるシステム全体図である。
【００２２】
図１に示されるように、本実施の形態に係る無線通信システム１００は、無線中継装置Ａ１およびＡ２と、無線端末Ｔ１と、通信端末Ｓ１と、ＬＡＮ（Ｌｏｃａｌ  Ａｒｅａ  Ｎｅｔｗｏｒｋ）１０を備える。また、無線通信可能エリア１０１は、無線中継装置Ａ１が無線通信可能なエリアを示しており、無線通信可能エリア１０２は、無線中継装置Ａ２が無線通信可能なエリアを示している。図１は、無線端末Ｔ１が無線通信可能エリア１０１と無線通信可能エリア１０２のどちらにも属し、無線通信が可能な状況を示している。
【００２３】
無線中継装置Ａ１およびＡ２は、無線通信インタフェースを備え、無線通信可能エリアに存在する無線端末Ｔ１との間で無線通信を行う。この無線通信システムにおいて、無線中継装置と無線端末とは、周波数帯および周波数帯のチャネル番号で特定されるチャネル（以降、チャネルと呼ぶ）と、ネットワークの識別子であるＳＳＩＤ（Ｓｅｒｖｉｃｅ  Ｓｅｔ  Ｉｎｄｅｎｔｉｆｉｅｒ）などの無線通信に必要な属性情報を基に通信を行う。本実施の形態に係る無線中継装置は、無線中継装置Ａ１およびＡ２の２台として説明するが、さらに多数備えていてもよい。
【００２４】
また、無線中継装置Ａ１およびＡ２は、ＬＡＮ１０と接続されており、無線通信に用いられる通信フレームの宛先に応じて、通信フレームを宛先に向けて転送する。具体的には、無線中継装置Ａ１およびＡ２は、無線端末Ｔ１から、ＬＡＮ１０に接続している通信端末Ｓ１を宛先とする通信フレームを受信すると、当該通信フレームをＬＡＮ１０を通じて通信端末Ｓ１へと転送する。
【００２５】
無線端末Ｔ１は、無線通信インタフェースを有する無線端末（例えば、タブレット、スマートフォンなど）であり、無線通信を用いて無線中継装置Ａ１およびＡ２と通信を行う。無線端末Ｔ１は、無線中継装置Ａ１およびＡ２を介して、ＬＡＮ１０に接続している通信端末Ｓ１と通信することができる。無線通信は、例えば、ＩＥＥＥ８０２．１１ａ、ｂ、ｇ、ｎ、ａｃ規格などに適合する無線ＬＡＮにより実現される。なお、本実施の形態に係る無線端末は、図１の無線通信システムでは１台のみ図示されているが、複数台備えられていてもよい。
【００２６】
また、無線端末Ｔ１は、一定条件下（例えば、無線中継装置との間の電波強度が閾値を下回ったなど）になると接続中の無線中継装置から、より好適な周辺の無線中継装置に接続を切り替える（ローミングを行う）。
【００２７】
通信端末Ｓ１は、有線または無線、あるいはその両方の通信インタフェースを有する通信端末（例えば、パーソナルコンピュータなど）であり、有線または無線通信を用いて無線中継装置Ａ１およびＡ２と通信を行う。通信端末Ｓ１は、無線中継装置Ａ１またはＡ２を介して、無線端末Ｔ１と通信することができる。
【００２８】
ＬＡＮ１０は、本発明の実施の形態では有線ＬＡＮで説明を行うが、無線ＬＡＮであってもよい。
【００２９】
図２は、本発明の実施の形態にかかる無線中継装置Ａ１およびＡ２、無線端末Ｔ１、通信端末Ｓ１のハードウェア構成図である。これらの装置は備えている通信インタフェースの構成が異なること以外は、その他のハードウェア構成は同じである。例えば、無線中継装置Ａ１は有線通信インタフェースと無線通信インタフェースの両方を備えているが、無線端末Ｔ１は無線インタフェースのみを備えているなどである。
【００３０】
図２に示すとおり、これらの装置は、ＣＰＵ（Ｃｅｎｔｒａｌ  Ｐｒｏｃｅｓｓｉｎｇ  Ｕｎｉｔ）２０、ＲＯＭ（Ｒｅａｄ  Ｏｎｌｙ  Ｍｅｍｏｒｙ）２１、ＲＡＭ（Ｒａｎｄｏｍ  Ａｃｃｅｓｓ  Ｍｅｍｏｒｙ）２２、記憶装置２３、ＷＮＩＣ（Ｗｉｒｅｌｅｓｓ  Ｎｅｔｗｏｒｋ  Ｉｎｔｅｒｆａｃｅ  Ｃａｒｄ）２４、ＮＩＣ（Ｎｅｔｗｏｒｋ  Ｉｎｔｅｒｆａｃｅ  Ｃａｒｄ）２５および各構成部品間を接続している内部バス２６などを備えている。
【００３１】
ＣＰＵ２０は、ＲＯＭ２１に格納された制御プログラムを実行するプロセッサである。
【００３２】
ＲＯＭ２１は、制御プログラム等を保持する読み出し専用記憶領域である。
【００３３】
ＲＡＭ２２は、ＣＰＵ２０が制御プログラムを実行するときに使用するワークエリアとして用いられる記憶領域である。
【００３４】
記憶装置２３は、制御プログラム、制御情報、装置情報、ユーザ設定情報、または認証情報などを記憶する記憶領域である。
【００３５】
ＷＮＩＣ２４は、無線通信を行うために種々の通信制御を実行する無線ＩＣチップおよび無線通信インタフェースを備えている。例えば、ＷＮＩＣ２４は、ＩＥＥＥ８０２．１１ａ、ｂ、ｇ、ｎ、ａｃ規格等に対応できる無線ＩＣチップおよび適合する無線ＬＡＮの通信インタフェースなどである。
【００３６】
ＮＩＣ２５は、有線通信を行う有線通信インタフェースを備えている。例えば、ＩＥＥＥ８０２．３規格等に適合する有線ＬＡＮの通信インタフェースである。
【００３７】
内部バス２６は、ＣＰＵ２０，ＲＯＭ２１、ＲＡＭ２２、記憶装置２３、ＷＮＩＣ２４、ＮＩＣ２５を電気的に接続し、信号のやりとりを行うバスである。
【００３８】
図３は、本発明の無線中継装置Ａ１の機能ブロック図である。
【００３９】
図３に示す無線中継装置Ａ１は、無線インタフェース部３０、監視部３１、記憶部３２、制御部３３、応答部３４などを備えている。
【００４０】
以下に本発明の無線中継装置Ａ１が備える各機能について、図３を用いて説明する。
【００４１】
無線インタフェース部３０は、通信端末Ｓ１とＬＡＮ１０を経由して通信を行う無線中継装置Ａ１との間で無線データフレーム、種々の制御情報その他の通信に必要な情報（以後、データと呼ぶこともある）などを送受信する。無線インタフェース部３０は、ＣＰＵ２０、ＲＯＭ２１、ＲＡＭ２２、記憶装置２３、ＷＮＩＣ２４などにより実現される。
【００４２】
監視部３１は、定期的に他の無線中継装置（以後、無線中継装置Ａ２に相当）との間で通信を行い、監視し、他の無線中継装置との間で通信が可能か否かを判断する。また、定期的に無線端末Ｔ１との間で通信を行い、監視し、無線端末Ｔ１との間で通信が可能か否かを判断する。
【００４３】
さらに監視部３１は、無線端末Ｔ１が他の無線中継装置宛に切断要求フレームを送信したか否かを監視し、送信があると無線インタフェース部３０を介してその切断要求フレームを捕捉し、記憶部３２に格納させる。また監視部３１は、当該他の無線中継装置が無線端末Ｔ１宛の再送フレームを送信したか否かを監視し、送信があるとその旨を制御部３３に通知する。監視部３１は、ＣＰＵ２０、ＲＯＭ２１、ＲＡＭ２２、記憶装置２３などにより実現される。
【００４４】
記憶部３２は、無線端末Ｔ１が他の無線中継装置宛に送信した切断要求フレームを格納する。記憶部３２は、ＣＰＵ２０、ＲＯＭ２１、ＲＡＭ２２、記憶装置２３などにより実現される。
【００４５】
制御部３３は、他の無線中継装置から無線端末Ｔ１宛の再送フレームを受信した旨の通知を監視部３１から受けると、無線端末Ｔ１が当該他の無線中継装置宛に送信した切断要求フレームを記憶部３２から取得し、応答部３４に通知する。制御部３３は、ＣＰＵ２０、ＲＯＭ２１、ＲＡＭ２２、記憶装置２３などにより実現される。
【００４６】
応答部３４は、制御部３３からの通知を受けて、無線端末Ｔ１が他の無線中継装置宛に送信した切断要求フレームを、無線端末Ｔ１に代わって当該他の無線中継装置に向けて代理送信する。応答部３４は、ＣＰＵ２０、ＲＯＭ２１、ＲＡＭ２２、記憶装置２３などにより実現される。
【００４７】
続いて、図４を参照しながら、本発明の実施の形態にかかる無線端末Ｔ１が移動し無線中継装置Ａ２からローミング候補先の無線中継装置Ａ１にローミングを行う際の状況について説明する。
【００４８】
図４では、無線端末Ｔ１が、無線通信可能エリア１０２からエリア外に移動して、無線中継装置Ａ１の無線通信可能エリア１０１内に入ってきた（図４で携帯端末Ｔ１の位置が（ａ）から移動により（ｂ）の位置になる）ので、無線中継装置Ａ１をローミング候補先としてローミングを行う状況を示している。
【００４９】
無線端末Ｔ１は、無線中継装置Ａ２と無線通信を行っていたが、無線通信可能エリア１０２からエリア外に移動すれば、無線中継装置Ａ２と無線通信ができなくなる。この場合、無線端末Ｔ１は、無線通信が可能な新たな無線中継装置Ａ１を検索し、一定の条件下（無線中継装置との電波強度が閾値以上であるなど）で無線中継装置Ａ１をローミング先候補と決定し、ローミングを開始する。そして、ローミングを開始すると、直前まで無線通信を行っていた無線中継装置Ａ２との間で無線通信を切断するため、無線端末Ｔ１が無線中継装置Ａ２に切断要求フレームを送信し、無線中継装置Ａ２がその切断要求フレームに応答して、無線接続が切断される。
【００５０】
ところが、無線端末Ｔ１が移動してしまって、無線端末Ｔ１が無線中継装置Ａ２と無線通信できるエリア１０２に存在しない状況（無線端末Ｔ１が図４の（ｂ）の位置）であると、無線端末Ｔ１が無線中継装置Ａ２に切断要求フレームを送信しても無線中継装置Ａ２にそのフレームが届かない。
【００５１】
そこで、図５を参照しながら、本発明の実施の形態にかかる無線中継装置（無線中継装置Ａ１）がローミングを開始した無線端末（無線端末Ｔ１に相当）と通信を開始してから、ローミング中の無線端末Ｔ１に代わって、切断要求フレームを他の無線中継装置（無線中継装置Ａ２に相当）に送信するまでの動作フローについて説明する。
【００５２】
ステップＳ５０にて、無線中継装置Ａ１の監視部３１は、無線中継装置Ａ２と通信できるか否かを判断する。通信できる場合は、ステップＳ５１に遷移する（ステップＳ５０のＹｅｓ）。通信できる場合とは、無線中継装置Ａ１と無線中継装置Ａ２とが有線ＬＡＮまたは、無線ＬＡＮで通信できる場合である。例えば、本発明の実施の形態ではＬＡＮ１０を介して無線中継装置Ａ１と無線中継装置Ａ２とが通信できることである。通信できない場合は、本処理を終了する（ステップＳ５０のＮｏ）。
【００５３】
ステップＳ５１にて、無線中継装置Ａ１の監視部３１は、無線端末Ｔ１と通信できるか否かを判断する。通信できる場合は、ステップＳ５２に遷移する（ステップＳ５１のＹｅｓ）。通信できない場合は、本処理を終了する（ステップＳ５１のＮｏ）。
【００５４】
ステップＳ５２にて、無線中継装置Ａ１の監視部３１は、ローミング中の無線端末Ｔ１が無線中継装置Ａ２宛の切断要求フレームを送信したか否かを判断する。送信したと判断した場合は、ステップＳ５３に遷移する（ステップＳ５２のＹｅｓ）。送信されていない場合は、ステップＳ５０へ遷移する（ステップＳ５２のＮｏ）。
【００５５】
ステップＳ５３にて、無線中継装置Ａ１の監視部３１は、ローミング中の無線端末Ｔ１が無線中継装置Ａ２宛の切断要求フレームを、無線インタフェース部３０を介して捕捉し、記憶部３２に格納する。
【００５６】
ステップＳ５４にて、無線中継装置Ａ１の監視部３１は、無線中継装置Ａ２が無線端末Ｔ１宛の再送フレームを送信したか否かを判断する。送信した場合は、ステップＳ５５に遷移する（ステップＳ５４のＹｅｓ）。送信していない場合は、ステップＳ５０へ遷移する（ステップＳ５４のＮｏ）。
【００５７】
ステップＳ５５にて、無線中継装置Ａ１の監視部３１は、無線中継装置Ａ２が無線端末Ｔ１宛の再送フレームを送信した旨を無線中継装置Ａ１の制御部３３に通知する。
【００５８】
ステップＳ５６にて、無線中継装置Ａ１の制御部３３は、無線中継装置Ａ２がローミング中の無線端末Ｔ１宛の再送フレームを送信した旨の通知を監視部３１から受けて、記憶部３２に格納されている無線中継装置Ａ２宛の切断要求フレームを取得し、応答部３４に通知する。
【００５９】
ステップＳ５７にて、無線中継装置Ａ１の応答部３４は、無線中継装置Ａ１の制御部３３から通知された無線中継装置Ａ２宛の切断要求フレームを、無線端末Ｔ１に代わって無線中継装置Ａ２に代理送信する。この代理送信は、無線中継装置Ａ１と無線中継装置Ａ２との間の無線インタフェース部３０を介して行われてもよいし、ＬＡＮ１０を介して行われてもよい。特に、周辺の無線通信環境により通信が不安定になることを避けるという意味では、無線よりも有線による代理送信が好ましい。
【００６０】
このように、無線端末Ｔ１が移動することにより、無線端末Ｔ１が今まで通信していた無線中継装置Ａ２と無線通信できるエリア１０２から出てしまったとしても、無線中継装置Ａ１が無線端末Ｔ１に代わって、切断要求フレームを無線中継装置Ａ２に代理送信することで、無線端末Ｔ１と無線中継装置Ａ２との間の無線接続を適切に切断することができ、無線端末Ｔ１からの応答（例えばＡＣＫ応答など）が無いことによって無線中継装置Ａ２が不要な再送フレームを送信し続けることを抑制できる。その結果、無線中継装置Ａ１およびＡ２の周辺の無線通信帯域を有効に利用することができる。
【００６１】
（その他実施の形態）
上記の本発明の実施の形態では、ローミングする無線端末は１つであり、記憶部に格納される切断要求フレームも１つであったが、記憶部に同時に格納できる切断要求フレームは１つに限らず複数でも良い。これにより、短い時間の間にローミングが続いて発生する場合も、上述した発明の恩恵を享受出来る。
【００６２】
また、実施の形態では、無線端末と無線通信を行っていた無線中継装置が、無線端末の移動などにより無線端末からの切断要求フレームを受信することができなくなった場合にローミング候補先の無線中継装置が無線端末に代わって切断要求フレームを代理送信したが、この機能は必ずしもローミング候補先の無線中継装置が担う必要はない。例えば、専用装置が無線端末に代わって、切断要求フレームを受信できない無線中継装置に切断要求フレームを代理送信してもよい。つまり、本発明のその他実施の形態は、無線中継装置に本発明で実現される機能を備えるのではなく、本発明で実現される機能と無線通信を実行できる機能のみを備える専用装置として、実現されてもよい。このような専用装置を利用することで、無線中継装置に本発明を備える実施の形態に比べ、ハードウェアの構成を軽減できることによるコスト削減、また機能も簡素化できる。さらに、無線中継機能（アクセスポイントとしての機能）を具備する必要がないので、周辺の無線通信に影響を及ぼすことを軽減できる。
【産業上の利用可能性】
【００６３】
無線ＬＡＮ通信システムにおいて、無線端末からの応答が無いことによる無線中継装置から送信される不要な再送フレームを抑制し、無線ＬＡＮ通信システム内の無線通信帯域を有効に利用することができる。
【符号の説明】
【００６４】
Ａ１、Ａ２  無線中継装置
Ｔ１  無線端末
Ｓ１  通信端末
１００  無線通信システム
１０１、１０２  無線通信可能エリア
１０  ＬＡＮ
２０  ＣＰＵ
２１  ＲＯＭ
２２  ＲＡＭ
２３  記憶装置
２４  ＷＮＩＣ
２５  ＮＩＣ
２６  内部バス
３０  無線インタフェース部
３１  監視部
３２  記憶部
３３  制御部
３４  応答部
【図１】
2017069793.tif 000003
【図２】
2017069793.tif 000004
【図３】
2017069793.tif 000005
【図４】
2017069793.tif 000006
【図５】
2017069793.tif 000007